(57)【要約】【課題】ユーザ操作によらず、内蔵電池の長寿命化を図ることが可能な応答器を含む入退場管理システムを提供する。【解決手段】質問信号の送信及び応答信号の受信を行う質問器と、内蔵電池からの電力供給を受けて、質問信号を受信する受信回路及び質問信号に呼応して自器の識別情報を含む応答信号を送信する送信回路を備える応答器とを含み、前記質問器が受信した応答信号に含まれる応答器の識別情報に基づく認証により管理領域に対する入場又は退場を管理する入退場管理システムであって、前記質問器は、応答器の識別情報に基づく認証が成功した場合に、質問信号を受信しないよう指示する停止コマンド信号を送信し、前記受信回路は、更に停止コマンド信号を受信でき、前記応答器は、停止コマンド信号を受信した場合に、当該該受信回路の少なくとも一部の動作を停止させるべく、前記内蔵電池からの電力供給を停止する。【選択図】図２
2011070402.tif 000002
【特許請求の範囲】
【請求項１】
質問信号の送信及び応答信号の受信を行う質問器と、内蔵電池からの電力供給を受けて、質問信号を受信する受信回路及び質問信号に呼応して自器の識別情報を含む応答信号を送信する送信回路を備える応答器とを含み、前記質問器が受信した応答信号に含まれる応答器の識別情報に基づく認証により管理領域に対する入場又は退場を管理する入退場管理システムであって、
前記質問器は、
応答器の識別情報に基づく認証が成功した場合に、質問信号を受信しないよう指示する停止コマンド信号を送信する送信制御手段を備え、
前記応答器の前記受信回路は、更に停止コマンド信号を受信するものであり、
前記応答器は、
前記受信回路により停止コマンド信号が受信された場合に、当該受信回路の少なくとも一部の動作を停止させるべく、前記内蔵電池からの電力供給を停止する電力制御手段を備える
ことを特徴とする入退場管理システム。
【請求項２】
前記質問器は、前記管理領域からの退場に係る認証に用いられるものであり、
前記応答器の前記電力制御手段は、前記停止コマンド信号を受信した時に、前記内蔵電池からの電力供給の前記停止を行う
ことを特徴とする請求項１記載の入退場管理システム。
【請求項３】
前記応答器の前記電力制御手段は、設定された時間を計時するタイマを含んでおり、
前記応答器は、更に
前記電力制御手段が前記内蔵電池からの電力供給の前記停止させる際に、当該停止後電力供給を再開させるまでの起動猶予時間を前記タイマに設定して計時を開始させる設定手段を備え、
前記応答器の前記電力制御手段は、前記タイマが起動猶予時間の計時を完了した時に、停止させていた前記受信回路の少なくとも一部の動作を再開させるべく、前記内蔵電池からの電力供給を再開させる
ことを特徴とする請求項２記載の入退場管理システム。
【請求項４】
前記質問器の前記送信制御手段が送信する停止コマンド信号は、前記起動猶予時間を示す起動猶予時間情報を含んでおり、
前記応答器の前記設定手段は、受信した停止コマンド信号に含まれている起動猶予時間情報が示す起動猶予時間を前記タイマに設定する
ことを特徴とする請求項３記載の入退場管理システム。
【請求項５】
前記質問器は、更に
電力供給を再開させる時刻を示す起動時刻情報を記憶する記憶手段を備え、
前記送信制御手段は、前記認証が行われた時刻を取得し、当該時刻から、前記記憶手段が記憶している起動時刻情報が示す時刻までの時間を前記起動猶予時間として前記停止コマンドを生成し、前記送信を行う
ことを特徴とする請求項４記載の入退場管理システム。
【請求項６】
前記質問器の前記送信制御手段が送信する停止コマンド信号は、前記認証が行われた時刻を示す認証時刻情報を含んでおり、
前記応答器は、更に
電力供給を再開させる時刻を示す起動時刻情報を記憶する記憶手段を備え、
前記設定手段は、受信した停止コマンド信号に含まれている認証時刻情報が示す時刻から前記記憶手段が記憶している起動時刻情報が示す時刻までの時間を前記起動猶予時間として前記タイマに設定する
ことを特徴とする請求項３記載の入退場管理システム。
【請求項７】
前記入退場管理システムは、更に
前記管理領域への入場に係る認証に用いられ、質問信号を送信し応答信号を受信する第２質問器を備え、
前記応答器の前記設定手段は、更に
前記電力制御手段が前記内蔵電池からの電力供給を再開させる際に、当該再開後電力供給を停止させるまでの再停止猶予時間を前記タイマに設定して計時を開始させ、
前記電力制御手段は、更に
前記タイマが、再停止猶予時間の計時を完了するまでに、前記第２質問器から質問信号を受信しない場合に、再開させていた前記受信回路の少なくとも一部の動作を停止させるべく、再び前記内蔵電池からの電力供給を停止させる
ことを特徴とする請求項３記載の入退場管理システム。
【請求項８】
前記応答器の前記設定手段は、更に
前記電力制御手段が再び前記内蔵電池からの電力供給を停止させる際に、前記タイマに、２４時間から前記再停止猶予時間を減じた再起動猶予時間を設定して計時を開始させ、
前記電力制御手段は、更に
前記タイマが再起動猶予時間の計時を完了した時に、停止させていた前記受信回路の少なくとも一部の動作を再開させるべく、前記内蔵電池からの電力供給を再開させる
ことを特徴とする請求項７記載の入退場管理システム。
【請求項９】
前記質問器は、前記管理領域への入場に係る認証に用いられるものであり、
前記応答器の前記電力制御手段は、設定された時間を計時するタイマを含んでおり、
前記応答器は、更に
前記停止コマンド信号の受信の際に、当該受信後電力供給を停止させるまでの停止猶予時間を前記タイマに設定して計時を開始させる設定手段を備え、
前記電力制御手段は、前記タイマが停止猶予時間の計時を完了した時に、前記内蔵電池からの電力供給の前記停止を行う
ことを特徴とする請求項１記載の入退場管理システム。
【請求項１０】
前記質問器の前記送信制御手段が送信する停止コマンド信号は、前記停止猶予時間を示す停止猶予時間情報を含んでおり、
前記応答器の前記設定手段は、受信した停止コマンド信号に含まれている停止猶予時間情報が示す停止猶予時間を前記タイマに設定する
ことを特徴とする請求項９記載の入退場管理システム。
【請求項１１】
前記質問器は、更に
電力供給を停止させる時刻を示す停止時刻情報を記憶する記憶手段を備え、
前記送信制御手段は、前記認証が行われた時刻から、前記記憶手段が記憶している停止時刻情報が示す時刻までの時間を前記停止猶予時間として前記停止コマンドを生成し、前記送信を行う
ことを特徴とする請求項１０記載の入退場管理システム。
【請求項１２】
前記質問器の前記送信制御手段が送信する停止コマンド信号は、前記認証が行われた時刻を示す認証時刻情報を含んでおり、
前記応答器は、更に
電力供給を停止させる時刻を示す停止時刻情報を記憶する記憶手段を備え、
前記設定手段は、受信した停止コマンド信号に含まれている認証時刻情報が示す時刻から前記記憶手段が記憶している停止時刻情報が示す時刻までの時間を前記停止猶予時間として前記タイマに設定する
ことを特徴とする請求項９記載の入退場管理システム。
【請求項１３】
前記質問器の前記送信制御手段は、前記質問信号を、ＬＦ帯にて送信するものであり、
前記応答器の前記受信回路は、
前記質問器からの停止コマンド信号の受信の有無にかかわらず、前記内蔵電池からの電力供給を受けて、強度が所定値以上であるＬＦ帯の電波を検出し前記電力制御手段に通知する検波回路を含み、
前記電力制御手段は、更に
前記検波回路から前記通知がなされた時に、停止させていた前記受信回路の少なくとも一部の動作を再開させるべく、前記内蔵電池からの電力供給を再開させる
ことを特徴とする請求項９記載の入退場管理システム。
【発明の詳細な説明】
【技術分野】
【０００１】
本発明は、質問器からの質問信号に呼応して応答器（アクティブタグ）が送信する応答信号を利用した入退場管理システムに関し、特に、応答器の内蔵電池の長寿命化を図るための技術に関する。
【背景技術】
【０００２】
質問器と応答器とを利用した従来の入退場管理システム、例えば、特許文献１に係る入退場管理システムでは、以下のようにして、入退場者の管理を行う。
質問器は、入退場を行うための扉等の付近に設置されており、質問信号を繰り返し送信する。応答器は、入退場を行うユーザが所持する、電池を内蔵したアクティブタグであり、応答器を所持したユーザが質問信号を受信可能なエリアに入ると、この応答器は、上記電池からの電力供給を受けて、質問信号を受信して自器の識別情報（以下、「応答器ＩＤ」という）を含む応答信号を送信する。
【０００３】
質問器は、この応答信号を受信すると、応答信号に含まれる応答器ＩＤを、入退場の認証を行うゲートユニットに送信する。ゲートユニットは、入退場が許可されたユーザが所持する応答器の応答器ＩＤのリストを記憶しており、このリストと受信した応答器ＩＤとに基づいて認証を行い、認証結果に応じて上記扉等の施解錠を制御する。
上記応答器は、常時、内蔵電池からの電力供給を受けて、質問器からの質問信号を受信できる状態（以下、「待機状態」という）にあり、実際に質問信号を受信するとすぐに応答信号を送信できる。従って、特許文献１に係る入退場管理システムでは、迅速な認証が可能であり、応答器を所持しており、かつ入退場が許可されたユーザのスムーズな入退室を実現している。
【先行技術文献】
【特許文献】
【０００４】
【特許文献１】特開２００８−１７７７７５号公報
【発明の概要】
【発明が解決しようとする課題】
【０００５】
しかしながら、従来の入退場管理システムにおける応答器は、認証が暫く不要な状況にある場合、例えば、オフィス内の入退場管理システムで用いられる応答器を、そのユーザが帰宅し、自宅に置いているような場合、即ち、入退場の管理対象範囲から離脱した場合でも、常に待機状態にあるので、内蔵電池の寿命が比較的短いという問題がある。
この問題に対しては、応答器に、電源をＯＦＦにするボタンを設け、ユーザにこのボタンを操作させることで、内蔵電池の寿命を延ばすことも考えられる。しかしながら、この方法では、ボタン操作をユーザに任せることになるので、ユーザがボタン操作を忘れていた場合には、電池寿命を延ばすことはできない。
【０００６】
そこで、本発明は係る問題に鑑みてなされたものであり、ユーザ操作によらず、内蔵電池の長寿命化を図ることが可能な応答器を含む入退場管理システムを提供することを目的とする。
【課題を解決するための手段】
【０００７】
上記課題を解決するために本発明に係る入退場管理システムは、質問信号の送信及び応答信号の受信を行う質問器と、内蔵電池からの電力供給を受けて、質問信号を受信する受信回路及び質問信号に呼応して自器の識別情報を含む応答信号を送信する送信回路を備える応答器とを含み、前記質問器が受信した応答信号に含まれる応答器の識別情報に基づく認証により管理領域に対する入場又は退場を管理する入退場管理システムであって、前記質問器は、応答器の識別情報に基づく認証が成功した場合に、質問信号を受信しないよう指示する停止コマンド信号を送信する送信制御手段を備え、前記応答器の前記受信回路は、更に停止コマンド信号を受信するものであり、前記応答器は、前記受信回路により停止コマンド信号が受信された場合に、当該受信回路の少なくとも一部の動作を停止させるべく、前記内蔵電池からの電力供給を停止する電力制御手段を備えることを特徴とする。
【発明の効果】
【０００８】
上述の構成を備える本発明に係る入退場管理システムにおける応答器は、その応答器の識別情報に基づく認証が成功した場合に質問器から送信される停止コマンド信号を受信した場合に、受信回路の少なくとも一部の動作を停止させるべく内蔵電池からの電力供給を停止させるので、ユーザ操作によらず、内蔵電池の長寿命化を図ることができる。
また、前記質問器は、前記管理領域からの退場に係る認証に用いられるものであり、前記応答器の前記電力制御手段は、前記停止コマンド信号を受信した時に、前記内蔵電池からの電力供給の前記停止を行うこととしてもよい。
【０００９】
これにより、応答器は、管理領域からの退場に係る認証が成功した場合に質問器から送信される停止コマンド信号を受信した時に受信回路の少なくとも一部の動作を停止させるべく内蔵電池からの電力供給を停止させるので、例えば、帰宅等のためにオフィスの管理領域から退場する場合のように、一旦認証を受け、暫く認証が不要な場合における応答器の内蔵電池の消耗を軽減することができる。
【００１０】
また、前記応答器の前記電力制御手段は、設定された時間を計時するタイマを含んでおり、前記応答器は、更に前記電力制御手段が前記内蔵電池からの電力供給の前記停止させる際に、当該停止後電力供給を再開させるまでの起動猶予時間を前記タイマに設定して計時を開始させる設定手段を備え、前記応答器の前記電力制御手段は、前記タイマが起動猶予時間の計時を完了した時に、停止させていた前記受信回路の少なくとも一部の動作を再開させるべく、前記内蔵電池からの電力供給を再開させることとしてもよい。
【００１１】
これにより、応答器は、起動猶予時間の計時を完了した時に、停止させていた受信回路の少なくとも一部の動作を再開させるので、ユーザ操作によらず、質問器からの質問信号を受信できる状態（待機状態）にすることができる。
また、前記質問器の前記送信制御手段が送信する停止コマンド信号は、前記起動猶予時間を示す起動猶予時間情報を含んでおり、前記応答器の前記設定手段は、受信した停止コマンド信号に含まれている起動猶予時間情報が示す起動猶予時間を前記タイマに設定することとしてもよい。
【００１２】
これにより、応答器は、停止コマンドに含まれている起動猶予時間情報に基づいて、電力供給を再開させることができるので、予め応答器に記憶させておいた起動猶予時間情報に基づいて電力供給を再開させる場合と比較し、起動猶予時間情報を応答器に記憶させるという運用上の手間を省くことができる。
また、前記質問器は、更に電力供給を再開させる時刻を示す起動時刻情報を記憶する記憶手段を備え、前記送信制御手段は、前記認証が行われた時刻を取得し、当該時刻から、前記記憶手段が記憶している起動時刻情報が示す時刻までの時間を前記起動猶予時間として前記停止コマンドを生成し、前記送信を行うこととしてもよい。
【００１３】
また、前記質問器の前記送信制御手段が送信する停止コマンド信号は、前記認証が行われた時刻を示す認証時刻情報を含んでおり、前記応答器は、更に電力供給を再開させる時刻を示す起動時刻情報を記憶する記憶手段を備え、前記設定手段は、受信した停止コマンド信号に含まれている認証時刻情報が示す時刻から前記記憶手段が記憶している起動時刻情報が示す時刻までの時間を前記起動猶予時間として前記タイマに設定することとしてもよい。
【００１４】
これにより、例えば、応答器に係る次の認証が行われると予想される時刻より前の時刻を示すように起動時刻情報を設定しておくことにより、内蔵電池からの電力供給を停止させる直前に行われた認証の時刻によらず、次の認証が行われると予想される時刻には、質問信号を受信できる状態にすることができる。即ち、認証が不要な場合における応答器の内蔵電池の消耗を軽減させつつ、認証が必要な場合においては、迅速な認証が可能になる。
【００１５】
また、前記入退場管理システムは、更に前記管理領域への入場に係る認証に用いられ、質問信号を送信し応答信号を受信する第２質問器を備え、前記応答器の前記設定手段は、更に前記電力制御手段が前記内蔵電池からの電力供給を再開させる際に、当該再開後電力供給を停止させるまでの再停止猶予時間を前記タイマに設定して計時を開始させ、前記電力制御手段は、更に前記タイマが、再停止猶予時間の計時を完了するまでに、前記第２質問器から質問信号を受信しない場合に、再開させていた前記受信回路の少なくとも一部の動作を停止させるべく、再び前記内蔵電池からの電力供給を停止させることとしてもよい。
【００１６】
これにより、応答器は、内蔵電池からの電力供給を再開させてから再停止猶予時間内に第２質問器からの質問信号を受信しない場合、例えば、応答器のユーザが、土日祝日、出張や休暇で、オフィス内の管理領域への入場が行われないような認証の必要がないときに、再び前記内蔵電池からの電力供給を停止させることができるので、更に内蔵電池の長寿命化を図ることができる。
【００１７】
また、前記応答器の前記設定手段は、更に前記電力制御手段が再び前記内蔵電池からの電力供給を停止させる際に、前記タイマに、２４時間から前記再停止猶予時間を減じた再起動猶予時間を設定して計時を開始させ、前記電力制御手段は、更に前記タイマが再起動猶予時間の計時を完了した時に、停止させていた前記受信回路の少なくとも一部の動作を再開させるべく、前記内蔵電池からの電力供給を再開させることとしてもよい。
【００１８】
これにより、応答器は、内蔵電池からの電力供給を再開させてから再停止猶予時間内に第２質問器からの質問信号を受信せず、再び前記内蔵電池からの電力供給を停止させた場合にも、前回の電力供給の再開から２４時間後に、電力供給を再開させることができる。即ち、例えば、上述の休暇等が終わり、通常通り、オフィス内の管理領域への入場が行われるときには、ユーザ操作によらず、質問器からの質問信号を受信できる状態（待機状態）にすることができる。
【００１９】
また、前記質問器は、前記管理領域への入場に係る認証に用いられるものであり、前記応答器の前記電力制御手段は、設定された時間を計時するタイマを含んでおり、前記応答器は、更に前記停止コマンド信号の受信の際に、当該受信後電力供給を停止させるまでの停止猶予時間を前記タイマに設定して計時を開始させる設定手段を備え、前記電力制御手段は、前記タイマが停止猶予時間の計時を完了した時に、前記内蔵電池からの電力供給の前記停止を行うこととしてもよい。
【００２０】
これにより、応答器は、管理領域への入場に係る認証が成功した場合に質問器から送信される停止コマンド信号を受信してから停止猶予時間後に内蔵電池からの電力供給の停止を行う。従って、例えば、その応答器のユーザが管理領域から退場せずにいると予想される時間を停止猶予時間に設定しておくことにより、帰宅等のためにオフィスの管理領域から退場する場合のように、管理領域から退場した後、暫くは管理領域への入場に係る認証が不要な場合における応答器の内蔵電池の消耗を軽減することができる。
【００２１】
また、前記質問器の前記送信制御手段が送信する停止コマンド信号は、前記停止猶予時間を示す停止猶予時間情報を含んでおり、前記応答器の前記設定手段は、受信した停止コマンド信号に含まれている停止猶予時間情報が示す停止猶予時間を前記タイマに設定することとしてもよい。
これにより、応答器は、停止コマンドに含まれている停止猶予時間情報に基づいて、電力供給を停止させるので、予め応答器に記憶させておいた停止猶予時間情報に基づいて電力供給を停止させる場合と比較し、停止猶予時間情報を応答器に記憶させるという運用上の手間を省くことができる。
【００２２】
また、前記質問器は、更に電力供給を停止させる時刻を示す停止時刻情報を記憶する記憶手段を備え、前記送信制御手段は、前記認証が行われた時刻から、前記記憶手段が記憶している停止時刻情報が示す時刻までの時間を前記停止猶予時間として前記停止コマンドを生成し、前記送信を行うこととしてもよい。
また、前記質問器の前記送信制御手段が送信する停止コマンド信号は、前記認証が行われた時刻を示す認証時刻情報を含んでおり、前記応答器は、更に電力供給を停止させる時刻を示す停止時刻情報を記憶する記憶手段を備え、前記設定手段は、受信した停止コマンド信号に含まれている認証時刻情報が示す時刻から前記記憶手段が記憶している停止時刻情報が示す時刻までの時間を前記停止猶予時間として前記タイマに設定することとしてもよい。
【００２３】
これにより、例えば、帰宅等のためにオフィスの管理領域から退場済であると予想される時刻を示すように停止時刻情報を設定しておくことにより、管理領域への入場に係る認証が行われた時刻によらず、停止時刻情報が示す時刻には、応答器の内蔵電池からの電力供給を停止できる。即ち、認証が不要な時間においては、応答器の内蔵電池の消耗を軽減させることが可能になる。
【００２４】
また、前記質問器の前記送信制御手段は、前記質問信号を、ＬＦ帯にて送信するものであり、前記応答器の前記受信回路は、前記質問器からの停止コマンド信号の受信の有無にかかわらず、前記内蔵電池からの電力供給を受けて、強度が所定値以上であるＬＦ帯の電波を検出し前記電力制御手段に通知する検波回路を含み、前記電力制御手段は、更に前記検波回路から前記通知がなされた時に、停止させていた前記受信回路の少なくとも一部の動作を再開させるべく、前記内蔵電池からの電力供給を再開させることとしてもよい。
【００２５】
これにより、停止コマンド信号を受信してから停止猶予時間後に内蔵電池からの電力供給を停止させた応答器に所定値以上の強度の質問信号を検出させることで、内蔵電池からの電力供給を再開させることができる。
【図面の簡単な説明】
【００２６】
【図１】実施の形態１に係る入退場管理システム１０００のシステム構成図である。
【図２】質問器１００Ａ及び応答器２００Ａの主要部の機能構成を示すブロック図である。
【図３】実施の形態１に係る質問信号２０及び応答信号３０のデータ構成を示す図である。
【図４】質問器１００Ａの制御部１０５の処理を示すフローチャートである。
【図５】応答器２００Ａの処理を示すフローチャートである。
【図６】実施の形態１に係る各質問器及び各応答器における動作を説明するためのタイミングチャートである。
【図７】変形例に係る質問信号４０のデータ構成を示す図である。
【図８】実施の形態２に係る入退場管理システム１１００のシステム構成図である。
【図９】質問器１１０及び応答器２１０Ａの主要部の機能構成を示すブロック図である。
【図１０】ＬＦ信号受信部２１１の機能構成を示すブロック図である。
【図１１】実施の形態２に係る質問信号５０のデータ構成を示す図である。
【図１２】応答器２１０Ａの処理を示すフローチャートである。
【図１３】実施の形態２に係る各質問器及び各応答器における動作を説明するためのタイミングチャートである。
【発明を実施するための形態】
【００２７】
以下、本発明に係る入退場管理システムの一実施形態を、図面を参照しながら説明する。
≪実施の形態１≫
＜構成＞
＜入退場管理システム＞
実施の形態１に係る入退場管理システム１０００の構成について説明する。
【００２８】
図１は、実施の形態１に係る入退場管理システム１０００のシステム構成図である。
同図に示すとおり、入退場管理システム１０００は、電気錠１０と、質問器１００Ａ及び１００Ｂと、応答器２００Ａ及び２００Ｂと、ゲートユニット３００と、管理サーバ４００とから構成されている。
質問器１００Ａ及び１００Ｂそれぞれとゲートユニット３００とはケーブル（例えば、ＲＳ−４８５規格に準拠したもの）により接続されており、ゲートユニット３００と電気錠１０とはケーブルで接続されており、ゲートユニット３００と管理サーバ４００とはＬＡＮ（Local Area Network）を介して接続されている。
【００２９】
また、同図における管理領域は、入退場を管理する領域のうち、その領域に対し入退場する者が最初に入場し、最後に退場することになる領域である。例えば、ビルのロビーに対する入退場及びこのロビーから続く各部屋に対する入退場を管理する場合においては、ビルのロビーが同図に示す管理領域に相当する。
ここで、電気錠１０は、管理領域に対する入退場を行うための扉等（不図示）に取り付けられており、通常はその扉等を施錠しており、ゲートユニット３００からの指示を受けて、扉等を解錠する機能を有する。
【００３０】
また、質問器１００Ａ及び１００Ｂは、上記扉等の付近の管理領域の内側と外側とにそれぞれ設置されており、それぞれ管理領域の内側と外側とに向けて、自器の識別情報（以下、「質問器ＩＤ」という）を含む質問信号をＬＦ帯（３０〜３００ｋＨｚ）にて繰り返し送信する機能と、各応答器から応答信号を受信し、その応答信号に含まれるその送信元の応答器の応答器ＩＤ（識別情報）と、自器の質問器ＩＤとをゲートユニット３００に送信する機能とを有する。
【００３１】
また、特に、質問器１００Ａは、ゲートユニット３００から応答器ＩＤを受信した場合に、その応答器ＩＤが示す応答器に対する停止コマンドを質問信号に含ませてＬＦ帯にて送信する機能を有する。この停止コマンドについては、後述するが（図３（ａ）参照）、質問信号を受信できない低消費電力状態（以下、「休止状態」という）へと遷移し、その所定時間後に、質問信号を受信できる待機状態へと遷移することを指示するデータである。
【００３２】
なお、質問信号はＬＦ帯にて送信されるため、この質問信号を受信可能なエリア（以下、「認証エリア」という）の範囲は比較的狭い範囲に限られ、実施の形態１では、障害物がない状態で各質問器から１．５ｍ程度以内の範囲であるものとする。
応答器２００Ａ及び２００Ｂそれぞれは、いわゆるアクティブタグであってユーザにより所持され、各質問器が送信する質問信号を受信可能な各認証エリアに入ると、この質問信号を受信し、受信した質問信号の内容に応じた処理を行う機能を有する。
【００３３】
具体的には、後に詳細に説明するが、自器に対する停止コマンドを含まない質問信号を受信した場合には、自器の応答器ＩＤを含む応答信号をＵＨＦ帯（３００ＭＨｚ〜３ＧＨｚ）にて送信し、自器に対する停止コマンドを含む質問信号を受信した場合には、この停止コマンドに従って、自器の状態を休止状態へと遷移し、後述するタイマの設定をしておくことで、その所定時間後に、待機状態へと遷移するよう制御する。
【００３４】
なお、応答信号は、ＵＨＦ帯にて送信されるため、この応答信号を受信可能なエリアは比較的広い範囲となり、実施の形態１では、障害物がない状態で各応答器から２０ｍ程度の範囲であるものとする。
ゲートユニット３００は、管理サーバ４００から予め受信し記憶している管理領域に対する入退場許可者のリストと、各質問器（１００Ａ及び１００Ｂ）から受信した応答器ＩＤ及び質問器ＩＤとに基づいて、その応答器ＩＤが識別する応答器を所持するユーザの管理領域に対する入退場に係る認証を行う機能を有する。
【００３５】
ゲートユニット３００は、認証が成功した場合に、受信した質問器ＩＤが示す質問器と対応する扉等に設置された電気錠１０にその扉等の解錠を行わせると共に、その質問器に、認証に係る応答器ＩＤ及び認証時刻を示す情報（以下、「認証時刻情報」という）を送信する。また、認証を行う毎に、認証結果を含む認証ログを管理サーバ４００に送信する。
【００３６】
なお、この認証時刻情報は、質問器１００Ａが、停止コマンドに設定する情報を生成する際に用いられる。
管理サーバ４００は、入退場管理システム１０００の管理者等（以下、単に「システム管理者等」という）により予め登録され必要に応じて更新された入退場許可者のリスト及びゲートユニット３００から受信した認証ログを記憶する機能を有する。この入退場許可者のリストは、入退場を行う扉等毎に、その扉等と対応する質問器の質問器ＩＤとその扉等からの入退場を許可されたユーザが所持する応答器の応答器ＩＤとを対応付けたデータである。
【００３７】
なお、管理サーバ４００は、入退場許可者のリストがシステム管理者等により更新される毎に、更新されたデータをゲートユニット３００に送信する。これにより、管理サーバ４００上の入退場許可者のリストと、ゲートユニット３００上の入退場許可者のリストとの整合が図られる。
以下、入退場管理システム１０００において特に重要な各質問器及び各応答器の構成について更に詳しく説明するが、質問器１００Ａと１００Ｂの構成、応答器２００Ａと２００Ｂの構成はそれぞれ同様であるため、以下では、質問器１００Ａ、応答器２００Ａを例に説明する。
【００３８】
図２は、質問器１００Ａ及び応答器２００Ａの主要部の機能構成を示すブロック図である。
＜質問器＞
まず、質問器１００Ａの構成について説明する。
質問器１００Ａは、同図に示すとおり、ＲＳ−４８５インタフェース１０１、ＬＦ信号送信回路１０２、ＲＦ信号受信回路１０３、記憶部１０４、制御部１０５を備える。
【００３９】
なお、質問器１００Ａは、メモリ及びプロセッサを備え、メモリに記憶されているプログラムをプロセッサが実行することにより、制御部１０５の機能が実現される。
ここで、ＲＳ−４８５インタフェース１０１は、ゲートユニット３００とＲＳ−４８５規格に準拠したデータのやり取りを行う機能を有する。
ＬＦ信号送信回路１０２は、ＬＦアンテナの他、フィルタやアンプ等（不図示）を含み、制御部１０５の指示に従って伝達された質問信号をＬＦ帯の無線信号として送信する機能を有する。
【００４０】
ＲＦ信号受信回路１０３は、ＲＦアンテナの他、フィルタやアンプ等（不図示）を含み、各応答器により送信された応答信号を受信し制御部１０５へ伝達する機能を有する。
記憶部１０４は、不揮発性メモリ等の記憶媒体により実現され、応答器が停止コマンドに基づいて休止状態に遷移した後に待機状態に遷移すべき時刻を示す起動時刻情報と、自器の質問器ＩＤとを記憶する機能を有する。
【００４１】
この起動時刻情報及び質問器ＩＤは、例えば、システム管理者等により予め設定され、記憶しているものとする。起動時刻情報が示す時刻は、各応答器について一律に定めたものであり、起動時刻情報は、各応答器を所持するユーザの多くが、一日の最初に管理領域へ入場すると予測される時刻、例えば、始業時刻が８：３０である企業等であれば、ユーザの多くが出社し始める始業時刻前の時刻（例えば、８：００）を示すように設定される。
【００４２】
制御部１０５は、機器全体を制御する機能の他、記憶部１０４に記憶されている自器の質問器ＩＤを含む質問信号を生成し、生成した質問信号をＬＦ信号送信回路１０２に送信させる機能、及びＲＦ信号受信回路１０３を介して受信した応答信号に自器の質問器ＩＤが含まれているか否かに応じて、その応答信号に含まれる応答器ＩＤと、自器の質問器ＩＤとを、ＲＳ−４８５インタフェース１０１を介してゲートユニット３００に送出する機能を有する。
【００４３】
また、特に、制御部１０５は、ＲＳ−４８５インタフェース１０１を介してゲートユニット３００から応答器ＩＤ及び認証時刻情報を受信した際に、この応答器ＩＤ及び停止コマンドを含む質問信号を生成し、生成した質問信号をＬＦ信号送信回路１０２に送信させる機能を有する。
この停止コマンドは、ゲートユニット３００から受信した認証時刻情報が示す認証時刻から記憶部１０４に記憶されている起動時刻情報が示す待機状態に遷移すべき時刻までの時間を示す情報（以下、「起動猶予時間情報」という）を含むものである。
【００４４】
なお、質問器１００Ｂは、停止コマンドを含む質問信号を送信する機能を有しない点で、質問器１００Ａとは異なる。即ち、質問器１００Ｂの制御部１０５は、ゲートユニット３００から応答器ＩＤ及び認証時刻情報を受信した際に、停止コマンドを含む質問信号を送信しない。詳細は後述する。
＜応答器＞
次に、応答器２００Ａの構成について説明する。
【００４５】
応答器２００Ａは、同図に示すとおり、ＬＦ信号受信回路２０１、ＲＦ信号送信回路２０２、記憶部２０３、電力供給制御部２０４、制御部２０８を備える。
なお、応答器２００Ａは、メモリ及びプロセッサを備え、メモリに記憶されているプログラムをプロセッサが実行することにより、制御部２０８の機能が実現される。
ＬＦ信号受信回路２０１は、ＬＦアンテナの他、フィルタ、アンプ等（不図示）を含み、各質問器から受信した質問信号を制御部２０８に伝達する機能を有する。
【００４６】
ＲＦ信号送信回路２０２は、ＲＦアンテナの他、フィルタ、アンプ等（不図示）を含み、制御部２０８から伝達された応答信号をＲＦ帯の無線信号として送信する機能を有する。
記憶部２０３は、不揮発性メモリ等の記憶媒体により実現され、再停止猶予時間情報と再起動猶予時間情報と自器の応答器ＩＤとを記憶する機能を有する。
【００４７】
ここで、再停止猶予時間情報とは、停止コマンドに基づいて休止状態から待機状態に遷移した後に、再び休止状態に遷移するまでの時間を示す情報であり、再起動猶予時間情報は、再停止猶予時間情報が示す時間を経過して休止状態に遷移した後に、再び待機状態に遷移するまでの時間を示す情報である。
この再停止猶予時間情報と再起動猶予時間情報と自器の応答器ＩＤとは、例えば、システム管理者等により予め設定され、記憶しているものとする。特に、再起動猶予時間情報が示す時間（以下、「再起動猶予時間」という）は、２４時間から再停止猶予時間情報が示す時間（以下、「再停止猶予時間」という）を減じた時間となるように設定される。
【００４８】
以下では、再停止猶予時間情報は「１時間」を、再起動猶予時間情報は「２３時間」を示すように設定されているものとして説明する。
電力供給制御部２０４は、内蔵電池２０５、スイッチ２０６、タイマ２０７を含んで構成される。
内蔵電池２０５は、応答器２００Ａの各部に対し電力供給を行う機能を有し、スイッチ２０６は、タイマ２０７により、ＯＦＦに切り替えられることにより、内蔵電池２０５から、ＬＦ信号受信回路２０１、ＲＦ信号送信回路２０２、及び制御部２０８への電力供給を停止させる機能を有する。
【００４９】
スイッチ２０６がＯＦＦの状態、つまり、内蔵電池２０５から、ＬＦ信号受信回路２０１、ＲＦ信号送信回路２０２、及び制御部２０８への電力供給が停止した状態が休止状態であり、スイッチ２０６がＯＮの状態、つまり、各部への電力供給が行われている状態が待機状態である。
また、タイマ２０７は、制御部２０８により設定された時間を計時する機能を有し、制御部２０８により、停止コマンドに含まれている起動猶予時間情報が示す時間（以下、「起動猶予時間」という）を設定された際、及び制御部２０８に設定された時間の計時を完了した際に、スイッチ２０６を切り替える機能を有する。なお、タイマ２０７は、設定された時間の計時を、その時間までゼロからカウントアップすることにより行うものでもよいし、その時間からゼロまでカウントダウンすることにより行うものでもよい。
【００５０】
制御部２０８は、機器全体を制御する機能の他、自器の応答器ＩＤ又は停止コマンドを含まない質問信号を受信した場合に、その質問信号に含まれている質問器ＩＤと、記憶部２０３に記憶されている自器の応答器ＩＤとを含む応答信号を生成しＲＦ信号送信回路２０２を介して送信する機能を有する。
また、自器の応答器ＩＤ及び停止コマンドを含む質問信号を受信した場合に、タイマ２０７に、停止コマンドに含まれている起動猶予時間情報が示す起動猶予時間を設定する機能を有する。この設定によって、上述のとおり、タイマ２０７によりスイッチ２０６がＯＦＦにされるため、応答器２００Ａは休止状態へ遷移することになる。なお、上述のとおり、制御部２０８が設定した起動猶予時間をタイマ２０７が計時することにより、スイッチ２０６がＯＮにされるため、応答器２００Ａは休止状態から待機状態に遷移することになる。
【００５１】
また、制御部２０８は、記憶部２０３に記憶されている再停止猶予時間情報が示す再停止猶予時間と、再起動猶予時間情報が示す再起動猶予時間とをタイマ２０７に設定する機能も有する。再停止猶予時間と再起動猶予時間とをどのようなタイミングで設定するかについては後述する（図５参照）。
＜データ＞
以下、入退場管理システム１０００において、使用されるデータについて説明する。
【００５２】
＜質問信号＞
まず、質問器１００Ａが生成し送信する質問信号について説明する。
図３（ａ）は、実施の形態１に係る質問信号２０のデータ構成を示す図である。
質問信号２０は、同図に示すように、ＰＲ（PReamble）２１、ＵＷ（Unique Word）２２、質問器ＩＤ２３、応答器ＩＤ２４、フラグ２５、起動猶予時間２６、及びＣＲＣ２７から構成される。このフラグ２５及び起動猶予時間２６は、停止コマンドを構成するデータである。
【００５３】
ここで、ＰＲ２１は、質問信号のデータの始まりを示すビット列（同期符号）であり、ＵＷ２２は、いわゆるフレーム同期信号である。
また、質問器ＩＤ２３は、質問信号の送信元である質問器１００Ａの識別情報であり、応答器ＩＤ２４は、ゲートユニット３００から受信した、成功した認証に係る応答器の識別情報である。
【００５４】
また、フラグ２５は、その質問信号に停止コマンドが含まれるか否かを示す情報であり、以下では、一例として、停止コマンドが含まれている場合を「１」、停止コマンドが含まれていない場合を「０」として説明する。
また、起動猶予時間２６は、応答器ＩＤ２４が示す応答器が停止コマンドを含む質問信号を受信し休止状態に遷移後、再び待機状態に遷移するまでの時間を指定するためのデータである。
【００５５】
ＣＲＣ２７は、質問信号を受信した応答器が質問信号に誤りが発生しているか否かを検出するためのデータである。
なお、ここでは、質問器１００Ａが生成し送信する質問信号について説明したが、質問器１００Ｂが生成し送信する質問信号のデータ構造も同様である。但し、質問器１００Ｂが生成する質問信号のフラグ２５は必ず「０」に設定される点で、質問器１００Ａの場合と異なる。
【００５６】
＜応答信号＞
次に、応答器２００Ａが生成し送信する応答信号について説明する。
図３（ｂ）は、実施の形態１に係る応答信号３０のデータ構成を示す図である。
応答信号３０は、同図に示すように、ＰＲ３１、ＵＷ３２、質問器ＩＤ３３、応答器ＩＤ３４、ＣＲＣ３５から構成される。
【００５７】
ここで、ＰＲ３１は、応答信号のデータの始まりを示すビット列（同期符号）であり、ＵＷ３２は、いわゆるフレーム同期信号である。
また、質問器ＩＤ３３は、受信した質問信号に含まれていた質問器ＩＤ（識別情報）であり、応答器ＩＤ３４は、自器の応答器ＩＤ（識別情報）である。
また、ＣＲＣ３５は、応答信号を受信した質問器が応答信号に誤りが発生しているか否かを検出するためのデータである。
【００５８】
＜動作＞
次に、上記構成を備え、上記データを取り扱う入退場管理システム１０００の動作を説明する。
＜質問器＞
まず、質問器１００Ａの動作について説明する。
【００５９】
図４は、質問器１００Ａの制御部１０５の処理を示すフローチャートである。
質問器１００Ａの電源がＯＮにされると、質問器１００Ａの制御部１０５は、応答器ＩＤ及び停止コマンドを含まない質問信号、つまり、応答器ＩＤ２４が設定されておらず、フラグ２５が「０」に設定された質問信号を生成し（ステップＳ１）、繰り返し（例えば、３００ｍｓ毎）、ＬＦ信号送信回路１０２を介して送信する（ステップＳ２）。
【００６０】
制御部１０５は、ステップＳ２で質問信号を送信後、所定時間（例えば、２００ｍｓ）以内に、ＲＦ信号受信回路１０３を介して応答信号を受信したか否かを判定し（ステップＳ３）、応答信号を受信した場合には（ステップＳ３：ＹＥＳ）、受信した応答信号に自器の質問器ＩＤが含まれるか否かを判定し（ステップＳ４）、自器の質問器ＩＤが含まれている場合には（ステップＳ４：ＹＥＳ）、自器の質問器ＩＤ及び受信した応答信号に含まれている応答器ＩＤを、ＲＳ−４８５インタフェース１０１を介してゲートユニット３００に送信する（ステップＳ５）。
【００６１】
この質問器ＩＤ及び応答器ＩＤを受信したゲートユニット３００は、この質問器ＩＤ及び応答器ＩＤを用いて、その応答器ＩＤが示す応答器を所持するユーザの管理領域からの退場に係る認証を行い、認証が成功した場合には、受信した質問器ＩＤが示す質問器と対応する扉等を解錠すると共に、その応答器ＩＤと認証時刻を示す認証時刻情報を送信する。
【００６２】
制御部１０５は、認証が成功したか否かを判定する（ステップＳ６）。具体的には、ステップＳ５で応答器ＩＤ等を送信してから所定時間以内に、ゲートユニット３００から応答器ＩＤ及び認証時刻情報を受信した場合に、認証が成功した旨の判定を行う。
認証が成功した場合には（ステップＳ６：ＹＥＳ）、起動猶予時間を算出する（ステップＳ７）。具体的には、ステップＳ６でゲートユニット３００から受信した認証時刻情報が示す認証時刻から記憶部１０４に記憶されている起動時刻情報が示す時刻までの時間を起動猶予時間とする。例えば、認証時刻が１８：００であり、起動時刻情報が示す時刻が８：００であるとすると、起動猶予時間は１４時間となる。
【００６３】
続いて、制御部１０５は、応答器ＩＤ２４にステップＳ６で受信した応答器ＩＤを設定し、停止コマンド（フラグ２５に「１」を、起動猶予時間２６にステップＳ７で算出した時間を示す情報を設定）を含む質問信号を生成し（ステップＳ８）、この生成した停止コマンドを含む質問信号をＬＦ信号送信回路１０２を介して送信し（ステップＳ２）、ステップＳ３の処理に進む。
【００６４】
ステップＳ３で応答信号を受信しなかった場合（ステップＳ３：ＮＯ）、ステップＳ４で受信した応答信号に自器の質問器ＩＤが含まれていない場合（ステップＳ４：ＮＯ）、又はステップＳ６で認証が失敗した場合（ステップＳ６：ＮＯ）には、制御部１０５は、再び、ステップＳ１から処理を行う。
なお、質問器１００Ｂの処理は、停止コマンドを含む質問信号を送信しない点で、質問器１００Ａの処理とは異なる。具体的には、上記ステップＳ７の処理を行わず、ステップＳ８で、応答器ＩＤ２４にステップＳ６で受信した応答器ＩＤを、フラグ２５に「０」を設定した停止コマンドを含まない質問信号を生成する。
【００６５】
＜応答器＞
次に、応答器２００Ａの動作について説明する。
図５は、応答器２００Ａの処理を示すフローチャートである。
応答器２００Ａの制御部２０８は、ＬＦ信号受信回路２０１を介して質問信号を受信したか否かを繰り返し（例えば、３００ｍｓ毎）判定し（ステップＳ１１）、受信していない場合には（ステップＳ１１：ＮＯ）、再びステップＳ１１の処理を行い、受信した場合には（ステップＳ１１：ＹＥＳ）、受信した質問信号に自器宛の停止コマンドが含まれているか否かを判定する（ステップＳ１２）。具体的には、受信した質問信号の応答器ＩＤ２４に自器の応答器ＩＤが、フラグ２５に「１」が設定されている場合に、肯定的な判定を行う。
【００６６】
自器宛の停止コマンドが含まれていない場合に（ステップＳ１２：ＮＯ）、制御部２０８は、ステップＳ１１で受信した質問信号の質問器ＩＤ２３、及び記憶部２０３に記憶されている自器の応答器ＩＤを含む応答信号を生成し送信し（ステップＳ１３）、再びステップＳ１１から処理を行う。
一方、自器宛の停止コマンドが含まれている場合に（ステップＳ１２：ＹＥＳ）、制御部２０８は、ステップＳ１１で受信した質問信号の停止コマンドに含まれている起動猶予時間２６が示す起動猶予時間（例えば、１４時間とする）をタイマ２０７に設定する（ステップＳ１４）。
【００６７】
起動猶予時間を設定されたタイマ２０７は、スイッチ２０６をＯＦＦに切り替え、内蔵電池２０５から、ＬＦ信号受信回路２０１、ＲＦ信号送信回路２０２、及び制御部２０８への電力供給を停止させることにより、応答器２００Ａを休止状態に遷移させる（ステップＳ１５）。
タイマ２０７は、ステップＳ１４で設定された起動猶予時間（この例では、１４時間）の計時を完了すると（ステップＳ１６）、スイッチ２０６をＯＮに切り替え、内蔵電池２０５から、ＬＦ信号受信回路２０１、ＲＦ信号送信回路２０２、及び制御部２０８への電力供給を再開させることにより、応答器２００Ａを待機状態に遷移させる（ステップＳ１７）。
【００６８】
制御部２０８は、記憶部２０３に記憶されている再停止猶予時間情報が示す再停止猶予時間（この例では、１時間）をタイマ２０７に設定する（ステップＳ１８）。なお、タイマ２０７は、設定された再停止猶予時間の計時が完了すると、その旨を制御部２０８へ通知し、後述するステップＳ２０の処理が完了してから、スイッチ２０６をＯＦＦに切り替えるものとする。
【００６９】
制御部２０８は、タイマ２０７から再停止猶予時間を計時した旨の通知を受領する前に、質問信号を受信したか否かを判定し（ステップＳ１９）、通知を受領する前に、質問信号を受信した場合には（ステップＳ１９：ＹＥＳ）、再びステップＳ１２から処理を行い、通知を受領する前に、質問信号を受信しなかった場合には（ステップＳ１９：ＮＯ）、記憶部２０３に記憶されている再起動猶予時間情報が示す再起動猶予時間（この例では２３時間）をタイマ２０７に設定する（ステップＳ２０）。
【００７０】
再起動猶予時間を設定されたタイマ２０７は、スイッチ２０６をＯＦＦに切り替え、ステップＳ１５と同様に応答器２００Ａを休止状態に遷移させる（ステップＳ２１）。
ステップＳ１７で応答器２００Ａを待機状態に遷移させてから、再停止猶予時間内に質問信号を受信しないということは、その日が土日や休日であるか、あるいは出張等で応答器２００Ａを所持するユーザが出社しない日（非出社日）である可能性が高いと考えられる。非出社日であれば、翌日まで質問信号を受信する必要がない可能性が高いため、ステップＳ２１の処理により、翌日まで、応答器２００Ａを休止状態にしておくことで、電池の長寿命化を図ることができる。
【００７１】
タイマ２０７は、ステップＳ２０で設定された再起動猶予時間の計時を完了すると（ステップＳ２２）、スイッチ２０６をＯＮに切り替え、内蔵電池２０５から、ＬＦ信号受信回路２０１、ＲＦ信号送信回路２０２、及び制御部２０８への電力供給を再開させることにより、応答器２００Ａを待機状態に遷移させ（ステップＳ１７）、以降、上記同様に処理を行う。
【００７２】
＜具体例＞
各質問器及び各応答器の動作を、具体例を用いて説明する。
なお、以下の説明を開始する時点で、応答器２００Ａは管理領域の内側に、応答器２００Ｂは管理領域の外側に存在しており、いずれの応答器も各質問器の認証エリア外に存在するものとし、応答器２００Ａは待機状態にあり、応答器２００Ｂは休止状態にあるものとして説明する。
【００７３】
また、ゲートユニット３００が記憶する入退場許可者のリストには、質問器１００Ａ及び１００Ｂの各質問器ＩＤと、応答器２００Ａ及び２００Ｂの各応答器ＩＤとが対応付けて登録されているものとして説明する。
図６は、実施の形態１に係る各質問器及び各応答器における動作を説明するためのタイミングチャートである。
【００７４】
なお、時刻Ｔ１における日付を９月１日として説明する。
時刻Ｔ１で、質問器１００Ａは、応答器ＩＤ及び停止コマンドを含まない質問信号を生成し送信する（図４のステップＳ１、Ｓ２）。
なお、時刻Ｔ１以降、質問器１００Ａは、繰り返し（例えば、３００ｍｓ毎）質問信号を送信するが、横軸が点線で示される箇所においては、各質問信号の図示を省略している。
【００７５】
時刻Ｔ２で、応答器２００Ａのユーザが、例えば帰宅するために、管理領域から退場しようと質問器１００Ａの認証エリアに入ると、応答器２００Ａは、停止コマンドを含まない質問信号を受信し（図５のステップＳ１１：ＹＥＳ、Ｓ１２：ＮＯ）、質問信号に含まれていた質問器ＩＤ、及び自器の応答器ＩＤを含む応答信号を生成し送信する（ステップＳ１３）。
【００７６】
質問器１００Ａは、応答器２００Ａから送信された、自器の質問器ＩＤを含む応答信号を受信するので（図４のステップＳ３：ＹＥＳ、Ｓ４：ＹＥＳ）、この応答信号に含まれている応答器２００Ａの応答器ＩＤと、自器の質問器ＩＤとをゲートユニット３００に送信する（ステップＳ５）。この例では、ゲートユニット３００が記憶する入退場許可者のリストに、質問器１００Ａの質問器ＩＤと応答器２００Ａの応答器ＩＤとが対応付けて登録されているので認証は成功し、ゲートユニット３００は、管理領域の扉等を解錠する。
【００７７】
質問器１００Ａは、応答器２００Ａの応答器ＩＤ及び認証時刻情報（例えば、認証時刻「１８：００」を示す）をゲートユニット３００から受信し（ステップＳ６：ＹＥＳ）、認証時刻（この例では１８：００）から記憶部１０４に記憶されている起動時刻情報が示す時刻（この例では８：００）までの時間（１４時間）を、起動猶予時間として算出する（ステップＳ７）。
【００７８】
時刻Ｔ３で、質問器１００Ａは、応答器ＩＤ２４にゲートユニット３００から受信した応答器２００Ａの応答器ＩＤを設定した停止コマンド（フラグ２５に「１」を、起動猶予時間２６にステップＳ７で算出した時間「１４時間」を示す情報を設定）を含む質問信号を生成し送信する（ステップＳ８、Ｓ２）。
時刻Ｔ４（この例では９月１日の１８：００）で、応答器２００Ａは、自器宛の停止コマンドを含む質問信号を受信し（図５のステップＳ１１：ＹＥＳ、Ｓ１２：ＹＥＳ）、この質問信号の停止コマンドに含まれている起動猶予時間２６が示す起動猶予時間（この例では、１４時間）をタイマ２０７に設定して、休止状態に遷移する（ステップＳ１４、Ｓ１５）。
【００７９】
なお、以下では、応答器２００Ａのユーザは、解錠された管理領域の扉等を通って、管理領域から退場し、帰宅したものとする。
時刻Ｔ５（この例では、９月２日の８：００）で、応答器２００Ａ及び２００Ｂは、待機状態に遷移する（ステップＳ１６、Ｓ１７）。なお、応答器２００Ａにおける起動猶予時間と、応答器２００Ｂにおける起動猶予時間は異なるが、起動時刻情報が示す時刻（この例では８：００）は一律に定められているので、応答器２００Ａ及び２００Ｂはそれぞれ時刻Ｔ５で待機状態に遷移する。
【００８０】
時刻Ｔ６で、質問器１００Ｂは、停止コマンドを含まない質問信号を送信する（図４のステップＳ２）。なお、時刻Ｔ６より前の時刻でも、質問器１００Ｂは、繰り返し（例えば、３００ｍｓ毎）に質問信号を送信しているが、横軸が点線で示される箇所においては、各質問信号の図示を省略している。
出社しようとする応答器２００Ａのユーザが、管理領域へ入場しようと質問器１００Ｂの認証エリアに入ると、時刻Ｔ５〜Ｔ８までの再停止猶予時間（この例では１時間）内の時刻Ｔ７で質問信号を受信し（ステップＳ１８、Ｓ１９：ＹＥＳ）、質問器１００Ｂから受信した質問信号には停止コマンドは含まれないので（ステップＳ１２：ＮＯ）、時刻Ｔ２と同様に、応答信号を生成し送信する（ステップＳ１３）。
【００８１】
質問器１００Ｂは、応答器２００Ａから送信された応答信号に含まれている応答器２００Ａの応答器ＩＤと、自器の質問器ＩＤとをゲートユニット３００に送信する（図４のステップＳ３：ＹＥＳ、Ｓ４：ＹＥＳ、Ｓ５）。この例では、認証は成功し、ゲートユニット３００は、管理領域の扉等を解錠する。
質問器１００Ｂは、応答器２００Ａの応答器ＩＤ及び認証時刻情報をゲートユニット３００から受信し（ステップＳ６：ＹＥＳ）、応答器ＩＤ２４にゲートユニット３００から受信した応答器２００Ａの応答器ＩＤを設定した停止コマンドを含まない質問信号を生成し（ステップＳ８）、送信する（ステップＳ２）。
【００８２】
以下では、応答器２００Ａのユーザは、解錠された管理領域の扉等を通って、管理領域に入場したものとし、応答器２００Ａのユーザが、再び、帰宅等する際には、応答器２００Ａは、上記時刻Ｔ１からの処理と同様に動作するため、説明は省略することとし、横軸が点線で示される箇所における、各応答信号の図示も省略している。
なお、質問器１００Ａの設置位置によっては、管理領域に入場した直後に、質問器１００Ａの認証エリアに入ってしまい、質問器１００Ａからの質問信号を受信した応答器が休止状態へと遷移してしまうことも考えられる。従って、例えば、停止コマンドを含まない質問信号を受信した場合（図５のステップＳ１２：ＮＯ）において、その質問信号の応答器ＩＤ２４に自器の応答器ＩＤが設定されているか否かを判定するようにし、否定的な判定を行った場合には、ステップＳ１３の処理を行って再びステップＳ１１の処理を行い、肯定的な判定を行った場合には、一定期間（例えば、管理領域に入場し、質問器１００Ａの認証エリア外に応答器を所持するユーザが移動するまでの時間）、処理を中断（ＷＡＩＴ）してから、再びステップＳ１１の処理を行うようにしてもよい。
【００８３】
また、以下では、応答器２００Ｂのユーザは非出社日であり、時刻Ｔ５〜Ｔ８までの再停止猶予時間内に、応答器２００Ｂは質問信号を受信しない（ステップＳ１９：ＮＯ）ものとして説明する。
再停止猶予時間（時刻Ｔ５〜Ｔ８であり、この例では、１時間）内に質問信号を受信しない応答器２００Ｂは、時刻Ｔ８で再起動猶予時間（この例では２３時間）をタイマ２０７に設定して、休止状態に遷移する（ステップＳ２０、Ｓ２１）。
【００８４】
時刻Ｔ８から再起動猶予時間（この例では、２３時間）を経過した時刻Ｔ９（この例では、９月３日の８：００）で、応答器２００Ｂは、待機状態に遷移する（ステップＳ２２、Ｓ１７）。
時刻Ｔ１０で、質問器１００Ｂは、停止コマンドを含まない質問信号を送信する（図４のステップＳ２）し、出社しようとする応答器２００Ｂのユーザが、管理領域へ入場しようと質問器１００Ｂの認証エリアに入ると、時刻Ｔ９からの再停止猶予時間（この例では１時間）内の時刻Ｔ１１で質問信号を受信し（ステップＳ１８、Ｓ１９：ＹＥＳ）、質問器１００Ｂから受信した質問信号には停止コマンドは含まれないので（ステップＳ１２：ＮＯ）、応答器２００Ａにおける時刻Ｔ２の処理と同様に、応答信号を生成し送信する（ステップＳ１３）。
【００８５】
質問器１００Ｂは、応答器２００Ｂから送信された応答信号に含まれている応答器２００Ｂの応答器ＩＤ及び自器の質問器ＩＤをゲートユニット３００に送信する（図４のステップＳ３：ＹＥＳ、Ｓ４：ＹＥＳ、Ｓ５）。この例では、認証は成功し、ゲートユニット３００は、管理領域の扉等を解錠する。
質問器１００Ｂは、応答器２００Ｂの応答器ＩＤ及び認証時刻情報をゲートユニット３００から受信し（ステップＳ６：ＹＥＳ）、応答器ＩＤ２４にゲートユニット３００から受信した応答器２００Ｂの応答器ＩＤを設定した停止コマンドを含まない質問信号を生成し（ステップＳ８）、送信する（ステップＳ２）。
【００８６】
≪変形例≫
以下では、応答器が起動猶予時間を算出するように替えた一変形例について説明する。
この起動猶予時間を算出する応答器（以下、「変形応答器」という）は、実施の形態１に係る各応答器（２００Ａ及び２００Ｂ）の記憶部２０３の記憶内容に加えて、更に各質問器（１００Ａ及び１００Ｂ）の記憶部１０４に記憶されていた起動時刻情報を記憶し、上述した制御部２０８の機能を若干変更したものである。
【００８７】
また、変形例に係る質問器（以下、「変形質問器」という）は、実施の形態１に係る質問器１００Ｂの記憶部１０４に記憶されていた起動時刻情報を記憶しないようにすると共に、制御部１０５の機能を若干変更したものである。従って、ここでは、変更部分を中心に説明する。
図７は、変形例に係る質問信号４０のデータ構成を示す図である。
【００８８】
質問信号４０は、同図に示すように、実施の形態１に係る質問信号２０の起動猶予時間２６に替えて、認証時刻４１を含んで構成される。
ここで、認証時刻４１は、ゲートユニット３００において行われた応答器ＩＤ２４に基づく認証が行われた時刻を示す情報であり、変形質問器がゲートユニット３００から応答器ＩＤ２４と共に受信した認証時刻情報である。
【００８９】
変形質問器の制御部の処理は、図４に示す実施の形態１に係る質問器１００Ｂの処理にと、ステップＳ７の処理を行わない点、及びステップＳ８で生成する質問信号における停止コマンドの認証時刻４１にステップＳ６で受信した認証時刻情報を設定する点が異なる。
また、変形応答器の制御部の処理は、図５に示す実施の形態１に係る応答器２００Ａの処理と、ステップＳ１４の処理内容が異なる。
【００９０】
具体的には、ステップＳ１１で受信した質問信号の停止コマンドに含まれている認証時刻４１が示す認証時刻から記憶部１０４に記憶されている起動時刻情報が示す時刻までの時間を起動猶予時間として算出し、これをタイマ２０７に設定する。
≪実施の形態２≫
実施の形態１では、帰宅時等、ユーザが管理領域から退場する際に、停止コマンドを含む質問信号を質問器１００Ａから受信することで、そのユーザが所持する応答器を休止状態に遷移させる例を説明した。
【００９１】
以下では、ユーザが管理領域へ入場する際に、停止コマンドを含む質問信号を実施の形態２に係る質問器１１０から受信することで、その停止コマンドで指定された時間を経過後に、そのユーザが所持する応答器を休止状態に遷移させる例を説明する。
＜構成＞
まず、実施の形態２に係る入退場管理システム１１００の構成について説明する。
【００９２】
図８は、実施の形態２に係る入退場管理システム１１００のシステム構成図である。
同図に示すとおり、入退場管理システム１１００は、実施の形態１に係る質問器１００Ｂに替えて質問器１１０を、実施の形態１に係る各応答器に替えて応答器２１０Ａ及び２１０Ｂを含んで構成される。
以下、質問器１１０及び各応答器の構成について説明するが、応答器２１０Ａと２１０Ｂの構成はそれぞれ同様であるため、以下では、応答器２１０Ａを例に説明する。
【００９３】
図９は、質問器１１０及び応答器２１０Ａの主要部の機能構成を示すブロック図である。
まず、質問器１１０について説明する。
質問器１１０は、実施の形態１に係る質問器１００Ａの記憶部１０４と制御部１０５とに替えて、記憶部１１１と制御部１１２を備える点で、質問器１００Ａとは異なる。
【００９４】
ここで、記憶部１１１は、質問器１００Ａの記憶部１０４に記憶されている起動時刻情報に替えて、応答器が停止コマンドに基づいて休止状態に遷移すべき時刻を示す停止時刻情報を記憶する点で、記憶部１０４とは異なる。
この停止時刻情報が示す時刻は、各応答器について一律に定めたものであり、停止時刻情報は、各応答器を所持するユーザの多くが、一日の最後に管理領域を退場すると予測される時刻、例えば、終業時刻が１７：００である企業等であれば、終業時刻後の時刻（例えば、１７：３０）を示すように、例えば、システム管理者等により予め設定され、記憶しているものとする。
【００９５】
また、制御部１１２は、質問器１００Ａの制御部１０５と同様の機能を有するが、質問信号に含めて送信する停止コマンドに、ゲートユニット３００から受信した認証時刻情報が示す認証時刻から記憶部１１１に記憶されている停止時刻情報が示す時刻までの時間を示す情報（以下、「停止猶予時間情報」という）を含める点で、制御部１０５とは異なる。
【００９６】
次に、応答器２１０Ａについて説明する。
応答器２１０Ａは、実施の形態１に係る応答器２００ＡのＬＦ信号受信回路２０１及び制御部２０８に替えて、ＬＦ信号受信部２１１及び制御部２１３を備える点で、応答器２００Ａとは異なる。
ここで、ＬＦ信号受信部２１１について、図１０を用いて説明する。
【００９７】
図１０は、ＬＦ信号受信部２１１の機能構成を示すブロック図である。
同図に示すように、ＬＦ信号受信部２１１は、ＬＦ信号受信回路２０１と比較回路２１２とから構成される。
ＬＦ信号受信回路２０１は、実施の形態１に係る応答器２００Ａが備えるものと同じ回路であり、実施の形態１で説明したように、応答器２１０Ａが休止状態にある場合には、電力供給制御部２０４の内蔵電池２０５からの電力供給が停止されているので、機能しない。
【００９８】
比較回路２１２は、常時、内蔵電池２０５からの電力供給を受けており、ＬＦアンテナを介して受信したＬＦ信号の強度と、システム管理者等により予め設定された基準強度とを比較し、ＬＦアンテナを介して受信したＬＦ信号の強度のほうが大きい場合に、スイッチ２０６をＯＮに切り替える機能を有する。
また、制御部２１３は、自器宛の停止コマンドを受信した場合に、その停止コマンドの種類に応じて、異なる処理を行う機能を有する。ここで、停止コマンドの種類は、質問器１００Ａと質問器１１０とで異なり、質問器１００Ａから受信した停止コマンドに基づく処理は、実施の形態１に係る制御部２０８の処理と同様である。質問器１１０から受領した停止コマンドに基づく処理は後述する（図１２参照）。
【００９９】
＜データ＞
以下、質問器１１０が生成し送信する質問信号について説明する。
図１１は、実施の形態２に係る質問信号５０のデータ構成を示す図である。
質問信号５０は、同図に示すように、実施の形態１に係る質問信号２０の起動猶予時間２６に替えて、停止猶予時間５１を含んで構成される。
【０１００】
ここで、停止猶予時間５１は、応答器ＩＤ２４が示す応答器が停止コマンドを含む質問信号を受信後、休止状態に遷移するまでの時間を指定するためのデータである。
また、フラグ２５は特に別符号を付して説明しないが、更に、質問信号に含まれている停止コマンドの種類を示す情報として機能する。
以下では、停止コマンドが含まれていない場合については、実施の形態１で説明したのと同様に「０」とするが、停止コマンドが含まれている場合であって、質問器１００Ａが送信するものについては「１」とし、質問器１１０が送信するものについては「２」として説明する。
【０１０１】
つまり、自器宛の停止コマンドを含む質問信号を受信した実施の形態２に係る各応答器は、このフラグ２５を参照することで、停止コマンドに起動猶予時間２６と停止猶予時間５１とのいずれが含まれているかを判定することができる。
＜動作＞
次に、上記構成を備え、上記データを取り扱う入退場管理システム１１００の動作を説明する。
【０１０２】
＜質問器＞
まず、質問器１１０の動作について説明する。
質問器１１０の制御部１１２の処理は、図４に示す実施の形態１に係る質問器１００Ｂの処理と、ステップＳ７及びステップＳ８の処理内容が異なる。
具体的には、ステップＳ７では、起動猶予時間の算出に替えて、停止猶予時間の算出を行う。例えば、ステップＳ６でゲートユニット３００から受信した認証時刻情報が示す認証時刻が８：３０であり、記憶部１１１に記憶されている停止時間情報が示す時刻が１７：３０であるとすると、停止猶予時間は９時間となる。
【０１０３】
また、ステップＳ８では、生成する質問信号における停止コマンドの停止猶予時間５１にステップＳ７で算出した時間を設定し、フラグ２５に「２」を設定する点が異なる。
その他の処理については、質問器１００Ｂの制御部１０５と同様であるため、詳細な説明は省略する。
＜応答器＞
次に、応答器２１０Ａの動作について説明する。
【０１０４】
図１２は、応答器２１０Ａの処理を示すフローチャートである。
応答器２１０Ａの処理は、図５に示す実施の形態１に係る応答器２００Ａの処理に加え、ステップＳ３１〜Ｓ３６の処理を含む。
応答器２１０Ａの制御部２１３は、受信した質問信号に自器宛の停止コマンドが含まれている場合に（ステップＳ１１：ＹＥＳ、Ｓ１２：ＹＥＳ）、その停止コマンドに含まれているフラグ２５が「１」であるか否かを判定する（ステップＳ３１）。
【０１０５】
フラグ２５が「１」である場合には（ステップＳ３１：ＹＥＳ）、その停止コマンドには、起動猶予時間２６が含まれていることになるため、実施の形態１で説明したように、ステップＳ１４以降の処理を行う。
一方、フラグ２５が「２」である場合には（ステップＳ３１：ＮＯ）、その停止コマンドには、停止猶予時間５１が含まれていることになるため、制御部２１３は、この停止猶予時間５１が示す停止猶予時間（例えば、９時間とする）をタイマ２０７に設定する（ステップＳ３２）。
【０１０６】
制御部２１３は、タイマ２０７が停止猶予時間の計時を完了するまでに質問信号を受信したか否かを判定し（ステップＳ３３）、受信した場合には（ステップＳ３３：ＹＥＳ）、ステップＳ１２から再び処理し、受信しなかった場合には（ステップＳ３３：ＮＯ）、タイマ２０７は、設定された停止猶予時間の計時を完了し、スイッチ２０６をＯＦＦに切り替え、内蔵電池２０５から、ＬＦ信号受信部２１１のＬＦ信号受信回路２０１、ＲＦ信号送信回路２０２、及び制御部２１３への電力供給を停止させることにより、応答器２１０Ａを休止状態に遷移させる（ステップＳ３４）。
【０１０７】
応答器２１０Ａが休止状態である間も、内蔵電池２０５から、ＬＦ信号受信部２１１の比較回路２１２への電力供給は継続しており、比較回路２１２は、ＬＦアンテナを介してＬＦ信号を受信すると、そのＬＦ信号の強度が基準強度以上であるか否かを判定する（ステップＳ３５）。
受信したＬＦ信号の強度が基準強度未満である場合には（ステップＳ３５：ＮＯ）、比較回路２１２は、特に何も行わず、再びステップＳ３５の処理を行う。
【０１０８】
一方、受信したＬＦ信号の強度が基準強度以上である場合には（ステップＳ３５：ＹＥＳ）、比較回路２１２は、スイッチ２０６をＯＮに切り替え、内蔵電池２０５から、ＬＦ信号受信回路２０１、ＲＦ信号送信回路２０２、及び制御部２１３への電力供給を再開させることにより、応答器２１０Ａを待機状態に遷移させ（ステップＳ３６）、再び、ステップＳ１１から処理を行う。
【０１０９】
＜具体例＞
各質問器及び各応答器の動作を、具体例を用いて説明する。
なお、以下の説明を開始する時点で、応答器２１０Ａは管理領域の外側に、応答器２１０Ｂは管理領域の内側に存在しており、いずれの応答器も各質問器の認証エリア外に存在するものとし、各応答器は待機状態にあるものとして説明する。
【０１１０】
また、ゲートユニット３００が記憶する入退場許可者のリストには、質問器１００Ａ及び１１０の各質問器ＩＤと、応答器２１０Ａ及び２１０Ｂの各応答器ＩＤとが対応付けて登録されているものとして説明する。
図１３は、実施の形態２に係る各質問器及び各応答器における動作を説明するためのタイミングチャートである。
【０１１１】
なお、時刻Ｔ２１における日付を９月１日として説明する。
時刻Ｔ２１で、質問器１１０は、応答器ＩＤ及び停止コマンドを含まない質問信号を生成し送信する（図４のステップＳ１、Ｓ２）。
なお、時刻Ｔ２１以降、質問器１１０は、繰り返し（例えば、３００ｍｓ毎）質問信号を送信するが、横軸が点線で示される箇所においては、各質問信号の図示を省略している。
【０１１２】
時刻Ｔ２２で、応答器２１０Ａのユーザが、例えば出社するために、管理領域へ入場しようと質問器１１０の認証エリアに入ると、応答器２１０Ａは、停止コマンドを含まない質問信号を受信し（図１２のステップＳ１１：ＹＥＳ、Ｓ１２：ＮＯ）、質問信号に含まれていた質問器ＩＤ、及び自器の応答器ＩＤを含む応答信号を生成し送信する（ステップＳ１３）。
【０１１３】
質問器１１０は、応答器２１０Ａから送信された、自器の質問器ＩＤを含む応答信号を受信するので（図４のステップＳ３：ＹＥＳ、Ｓ４：ＹＥＳ）、この応答信号に含まれている応答器２１０Ａの応答器ＩＤと、自器の質問器ＩＤとをゲートユニット３００に送信する（ステップＳ５）。この例では、認証は成功し、ゲートユニット３００は、管理領域の扉等を解錠する。
【０１１４】
質問器１１０は、応答器２１０Ａの応答器ＩＤ及び認証時刻情報（例えば、認証時刻「８：３０」を示す）をゲートユニット３００から受信し（ステップＳ６：ＹＥＳ）、認証時刻（この例では８：３０）から記憶部１１１に記憶されている停止時刻情報が示す時刻（この例では１７：３０）までの時間（９時間）を、停止猶予時間として算出する。
時刻Ｔ２３で、質問器１１０は、応答器ＩＤ２４にゲートユニット３００から受信した応答器２１０Ａの応答器ＩＤを設定した停止コマンド（フラグ２５に「２」を、停止猶予時間５１に算出した停止猶予時間「９時間」を示す情報を設定）を含む質問信号を生成し、送信する（ステップＳ２）。
【０１１５】
時刻Ｔ２４（この例では、９月１日の８：３０）で、応答器２１０Ａは、自器宛の停止コマンドを含む質問信号を受信し（図１２のステップＳ１１：ＹＥＳ、Ｓ１２：ＹＥＳ）、この停止コマンドに含まれているフラグ２５は「２」であるので（ステップＳ３１：ＮＯ）、停止猶予時間５１が示す停止猶予時間（この例では、９時間）をタイマ２０７に設定する（ステップＳ３２）。
【０１１６】
なお、以下では、応答器２１０Ａのユーザは、時刻Ｔ２４〜Ｔ２８までの停止猶予時間内には帰宅しようとせず、即ち、応答器２１０Ａは質問器１００Ａから質問信号を受信しない（ステップＳ３３：ＮＯ）ものとして説明する。
時刻Ｔ２５で、応答器２１０Ｂのユーザが、例えば帰宅するために、管理領域から退場しようと質問器１００Ａの認証エリアに入ると、応答器２１０Ｂは、停止コマンドを含まない質問信号を受信し（ステップＳ３３：ＹＥＳ、Ｓ１２：ＮＯ）、質問信号に含まれていた質問器ＩＤ、及び自器の応答器ＩＤを含む応答信号を生成し送信する（ステップＳ１３）。
【０１１７】
時刻Ｔ２６で、質問器１００Ａは、応答器２１０Ｂから送信された、自器の質問器ＩＤを含む応答信号を受信するので（図４のステップＳ３：ＹＥＳ、Ｓ４：ＹＥＳ）、この応答信号に含まれている応答器２１０Ｂの応答器ＩＤと、自器の質問器ＩＤとをゲートユニット３００に送信する（ステップＳ５）。この例では、認証は成功し、ゲートユニット３００は、管理領域の扉等を解錠する。
【０１１８】
質問器１００Ａは、応答器２１０Ｂの応答器ＩＤ及び認証時刻情報（例えば、認証時刻「１７：００」を示す）をゲートユニット３００から受信し（ステップＳ６：ＹＥＳ）、認証時刻から記憶部１０４に記憶されている起動時刻情報が示す時刻（この例では８：００）までの時間（１５時間）を、起動猶予時間として算出し（ステップＳ７）、応答器ＩＤ２４にゲートユニット３００から受信した応答器２１０Ｂの応答器ＩＤを設定した停止コマンド（フラグ２５に「１」を、起動猶予時間２６にステップＳ７で算出した時間「１５時間」を示す情報を設定）を含む質問信号を生成し送信する（ステップＳ８、Ｓ２）。
【０１１９】
時刻Ｔ２７（この例では９月１日の１７：００）で、応答器２００Ａは、自器宛の停止コマンドを含む質問信号を受信し（図１２のステップＳ１１：ＹＥＳ、Ｓ１２：ＹＥＳ）、この停止コマンドに含まれているフラグ２５は「１」であるので（ステップＳ３１：ＹＥＳ）、この質問信号の停止コマンドに含まれている起動猶予時間２６が示す起動猶予時間（この例では、１５時間）をタイマ２０７に設定して、休止状態に遷移する（ステップＳ１４、Ｓ１５）。
【０１２０】
なお、以下では、応答器２１０Ｂのユーザは、解錠された管理領域の扉等を通って、管理領域から退場し、帰宅したものとする。
時刻Ｔ２８（この例では、９月１日の１７：３０）で、応答器２１０Ａのタイマ２０７は、時刻Ｔ２４で設定された停止猶予時間の計時を完了し、応答器２１０Ａを休止状態に遷移させる（ステップＳ３４）。
【０１２１】
時刻Ｔ２９で、応答器２１０Ａのユーザが、例えば帰宅するために、管理領域から退場しようとして、その間隔が、例えば、数センチ程度になるように、質問器１００Ａに応答器２１０Ａを近づけると、ＬＦアンテナを介して、その強度が、基準強度以上であるＬＦ信号を受信し（ステップＳ３５：ＹＥＳ）、比較回路２１２は、スイッチ２０６をＯＮに切り替え、応答器２１０Ａは待機状態に遷移する（ステップＳ３６）。
【０１２２】
時刻Ｔ３０で、応答器２１０Ａは、質問器１００Ａの認証エリアに存在するため、停止コマンドを含まない質問信号を受信し（ステップＳ１１：ＹＥＳ、Ｓ１２：ＮＯ）、質問信号に含まれていた質問器ＩＤ、及び自器の応答器ＩＤを含む応答信号を生成し送信する（ステップＳ１３）。
時刻Ｔ３１で、質問器１００Ａは、応答器２１０Ａから送信された、自器の質問器ＩＤを含む応答信号を受信するので（図４のステップＳ３：ＹＥＳ、Ｓ４：ＹＥＳ）、この応答信号に含まれている応答器２１０Ａの応答器ＩＤと、自器の質問器ＩＤとをゲートユニット３００に送信する（ステップＳ５）。この例では、認証は成功し、ゲートユニット３００は、管理領域の扉等を解錠する。
【０１２３】
質問器１００Ａは、応答器２１０Ａの応答器ＩＤ及び認証時刻情報（例えば、認証時刻「１８：００」を示す）をゲートユニット３００から受信し（ステップＳ６：ＹＥＳ）、認証時刻から記憶部１０４に記憶されている起動時刻情報が示す時刻（この例では８：００）までの時間（１４時間）を、起動猶予時間として算出し（ステップＳ７）、応答器ＩＤ２４にゲートユニット３００から受信した応答器２１０Ａの応答器ＩＤを設定した停止コマンド（フラグ２５に「１」を、起動猶予時間２６にステップＳ７で算出した時間「１４時間」を示す情報を設定）を含む質問信号を生成し送信する（ステップＳ８、Ｓ２）。
【０１２４】
時刻Ｔ３２（この例では９月１日の１８：００）で、応答器２１０Ａは、自器宛の停止コマンドを含む質問信号を受信し（図１２のステップＳ１１：ＹＥＳ、Ｓ１２：ＹＥＳ）、この停止コマンドに含まれているフラグ２５は「１」であるので（ステップＳ３１：ＹＥＳ）、この質問信号の停止コマンドに含まれている起動猶予時間２６が示す起動猶予時間（この例では、１４時間）をタイマ２０７に設定して、休止状態に遷移する（ステップＳ１４、Ｓ１５）。
【０１２５】
＜補足＞
以上、本発明に係る入退場管理システムを、変形例を含む各実施の形態に基づいて説明したが、以下のように変形することも可能であり、本発明は上述した各実施の形態で示したとおりの入退場管理システムに限られないことは勿論である。
（１）各実施の形態では、質問信号を受信しない休止状態に遷移するように指示するための停止コマンドを質問信号に含ませて送信する例を説明したが、質問信号とは別個の信号として構成し送信するようにしてもよい。つまり、本発明における停止コマンド信号は、質問信号に含まれるように構成されても、別個の信号として構成されてもよい。
【０１２６】
（２）各実施の形態に係る質問器は、成功した認証に係る１つの応答器ＩＤを含む質問信号を送信するものと説明したが、成功した認証に係る複数の応答器ＩＤを含む質問信号を送信するようにしてもよい。
また、この質問信号に含まれる１つ以上の応答器ＩＤは、停止コマンドの一部を構成するようにしてもよい。この場合、質問器１００Ｂは応答器ＩＤを質問信号に含めて送信しないこととなる。
【０１２７】
また、質問器１００Ａ及び質問器１１０は、停止コマンドを含めた質問信号を１回だけ送信するものとして説明したが、複数回送信するようにしてもよい。
（３）実施の形態１では、管理領域の内外に質問器を１台ずつ設置した場合を例に説明したが、管理領域の内外に設置する質問器のそれぞれの台数は、システム管理者等が設計した認証エリアを実現するように決定することができ、例えば、管理領域の内側には２台、外側には３台等、管理領域の内外で異なる数の質問器を設置するようにしてもよい。
【０１２８】
このとき、管理領域の内側に設置された各質問器は、実施の形態１に係る質問器１００Ａと同様の機能を有するものであり、外側に設置された各質問器は、実施の形態１に係る質問器１００Ｂと同様の機能を有するものである必要がある。このことは、実施の形態２においても、同様である。
（４）実施の形態１において、ゲートユニット３００は、管理領域の外側にある質問器１００Ｂから受信した質問器ＩＤ及び応答器ＩＤに基づく認証が成功した場合に、質問器１００Ｂに応答器ＩＤと認証時刻情報を送信するものとして説明した。しかしながら、質問器１００Ｂは、受信した認証時刻情報を用いた処理を行わないことから、管理領域の外側にある質問器から受信した応答器ＩＤに基づく認証が成功した場合に、ゲートユニット３００は、認証時刻情報を送信しないようにしてもよい。
【０１２９】
（５）実施の形態２に係る入退場管理システム１１００は、管理領域の内側に設置された質問器１００Ａを含むものとして説明したが、例えば、管理領域からの退場に係る認証を行わない運用が可能である場合、つまり、管理領域への入場に係る認証のみを行う運用を行う場合には、質問器１００Ａを含まない構成にしてもよい。
（６）実施の形態１に係る質問器１００Ａは、停止コマンドにおいて、起動猶予時間を指定し、この停止コマンドを質問信号に含ませて送信するものとして説明したが、起動猶予時間を指定しないようにしてもよい。
【０１３０】
この場合、例えば、実施の形態１に係る各応答器にボタンを設け、休止状態である場合に、ユーザがこれを押下することで、スイッチ２０６がＯＮに切り替えられ、待機状態に遷移するようにしてもよい。また、実施の形態１に係る各応答器を、実施の形態２に係る各応答器と同様に、比較回路２１２を備えるように変形し、基準強度以上の強度のＬＦ信号を受信することで、待機状態に遷移するようにしてもよい。また、実施の形態１に係る各応答器それぞれが起動猶予時間（例えば、１４時間）を記憶するようにしてもよい。
【０１３１】
また、実施の形態１に係る各応答器は、再起動猶予時間をタイマ２０７に設定することで、待機状態に遷移するものとして説明したが、再起動猶予時間をタイマ２０７に設定することなく、ユーザからの上述のボタン操作を受けて、待機状態に遷移するようにしてもよい。
また、実施の形態２に係る各応答器は、比較回路２１２を備え、基準強度以上の強度のＬＦ信号を受信することで、待機状態に遷移するものとして説明したが、比較回路２１２を設けることなく、あるいは更に、上述のボタンを、各応答器に設けるようにし、ユーザからのボタン操作を受けて、待機状態に遷移するようにしてもよい。
【０１３２】
（７）各実施の形態に係る各応答器は、予め再停止猶予時間情報及び再起動猶予時間情報を記憶しているものとして説明したが、質問器１００Ａが停止コマンドに含めて送るようにしてもよい。
この場合、各応答器は、質問器１００Ａから自器宛の停止コマンドを含む質問信号を受信する毎に、その停止コマンドに含められている再停止猶予時間情報及び再起動猶予時間情報を記憶しなおすようにしてもよいし、質問器１００Ａから自器宛の停止コマンドを含む質問信号を初めて受信したときにだけ、再停止猶予時間情報及び再起動猶予時間情報を記憶するようにしてもよい。
【０１３３】
更に、質問器１００Ａは、停止コマンドに、再停止猶予時間情報及び再起動猶予時間情報を記憶することを指示するフラグを含めて送るようにし、各応答器は、このフラグに応じて再停止猶予時間情報及び再起動猶予時間情報を記憶するようにしてもよい。これにより、各応答器が記憶する再停止猶予時間情報及び再起動猶予時間情報の内容を容易に更新することができる。
【０１３４】
なお、ここでは、再停止猶予時間情報及び再起動猶予時間情報を停止コマンドに含めて送信する例を説明したが、停止コマンドとは別に送信するようにしてもよい。
（８）各実施の形態に係る質問器１００Ａは、一律に定めた起動時刻情報を記憶し、実施の形態２に係る質問器１１０は、一律に定めた停止時刻情報を記憶し、それぞれ記憶している情報に基づいて起動猶予時間、停止猶予時間を算出するものとして説明したが、応答器毎に異なる起動時刻情報、停止時刻情報を用いて上記算出を行うようにしてもよい。
【０１３５】
この場合、例えば、管理サーバ４００を、記憶している認証ログを解析することによって、応答器毎の起動時刻情報、停止時刻情報を決定するように変形し、また、ゲートユニット３００を、決定された応答器毎の起動時刻情報、停止時刻情報を記憶するようにし、認証が成功した場合に、その認証に係る応答器の起動時刻情報又は停止時刻情報を、その認証に用いた質問器ＩＤが示す質問器に送信するようにしてもよい。
【０１３６】
上述の認証ログの解析は、応答器毎に、その応答器の所定期間（１週間や１ヶ月等）における管理領域に対する入場時刻（認証時刻）と退場時刻（認証時刻）を取得し、各入場時刻から算出した平均的な入場時刻を示す情報を起動時刻情報とし、各退場時刻から算出した平均的な退場時刻を示す情報を停止時刻情報とすればよい。
（９）実施の形態２に係る質問器１１０は、停止コマンドにおいて、停止猶予時間を指定し、この停止コマンドを質問信号に含ませて送信するものとして説明したが、停止猶予時間を指定しないようにしてもよい。
【０１３７】
この場合、実施の形態２に係る各応答器それぞれが停止猶予時間（例えば、７時間）を記憶するようにしてもよい。
（１０）実施の形態２に係る質問器１１０は、停止コマンドにおいて、停止猶予時間を指定し、この停止コマンドを質問信号に含ませて送信するものとして説明したが、変形質問器と同様、認証時刻を指定するようにしてもよい。この場合、実施の形態２に係る各応答器は、停止時刻情報を記憶し、変形応答器と同様に、各応答器で、停止猶予時間を算出する必要がある。
【０１３８】
（１１）各実施の形態に係る各応答器は、休止状態に遷移する際に、制御部への電力供給を停止するものとして説明したが、電力供給は停止することなく、例えば、制御部を実現するプロセッサの動作クロックを下げさせることにより、電池寿命の長期化を図ることも可能である。
（１２）各実施の形態では、１つの管理領域に対する入退場を管理する場合を例にして説明したが、例えば、テナントビルにおける複数のテナント領域それぞれを管理領域としても同様に適用することが可能である。この場合、１台のゲートユニットが各テナント領域に係る認証を行うようにしてもよいし、複数のゲートユニットが各テナント領域に係る認証を分担するようにしてもよい。
【０１３９】
（１３）本発明に係る入退場管理システムを構成する質問器が備える送信制御手段は、各実施の形態に係る質問器１００Ａ、１１０のＬＦ信号送信回路１０２及び制御部に相当し、記憶手段は、各実施の形態に係る質問器１００Ａ、１１０の記憶部に相当する。
また、本発明に係る入退場管理システムを構成する応答器が備える検波回路を含む受信回路は、実施の形態２に係る応答器２１０ＡのＬＦ信号受信部２１１に相当し、送信回路は、各実施の形態に係る応答器のＲＦ信号送信回路２０２に相当し、タイマを含む電力制御手段及び内蔵電池は、各実施の形態に係る応答器の電力供給制御部２０４に相当し、設定手段は、各実施の形態に係る応答器の制御部に相当し、記憶手段は、各実施の形態に係る応答器の記憶部に相当する。
【０１４０】
また、本発明に係る入退場管理システムを構成する第２質問器は、実施の形態１に係る質問器１００Ｂに相当する。
【符号の説明】
【０１４１】
１０    電気錠
１００Ａ、１００Ｂ、１１０    質問器
１０１    ＲＳ−４８５インタフェース
１０２    ＬＦ信号送信回路
１０３    ＲＦ信号受信回路
１０４、１１１、２０３    記憶部
１０５、１１２、２０８、２１３    制御部
２００Ａ、２００Ｂ、２１０Ａ、２１０Ｂ    応答器
２０１    ＬＦ信号受信回路
２０２    ＲＦ信号送信回路
２０４    電力供給制御部
２０５    内蔵電池
２０６    スイッチ
２０７    タイマ
２１１    ＬＦ信号受信部
２１２    比較回路
３００    ゲートユニット
４００    管理サーバ
１０００、１１００    入退場管理システム
【図１】
2011070402.tif 000003
【図２】
2011070402.tif 000004
【図３】
2011070402.tif 000005
【図４】
2011070402.tif 000006
【図５】
2011070402.tif 000007
【図６】
2011070402.tif 000008
【図７】
2011070402.tif 000009
【図８】
2011070402.tif 000010
【図９】
2011070402.tif 000011
【図１０】
2011070402.tif 000012
【図１１】
2011070402.tif 000013
【図１２】
2011070402.tif 000014
【図１３】
2011070402.tif 000015